【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
ネブライザにおいて液滴を形成するのに使用するメッシュにおいて、前記メッシュは、
−貫通している複数の穴を持つ、第１の材料から作られる第１の部分、及び
−前記第１の部分と接触している、第２の材料から作られる第２の部分であり、前記第２の部分は、貫通している対応する複数の穴を持ち、前記第２の部分にある前記複数の穴は、前記メッシュの排出側に向けてノズルを形成する、第２の部分
を有し、前記第１の材料は前記第２の材料より高密度であり、
前記第１の材料から作られる前記第１の部分にある前記複数の穴は、前記メッシュの吸入口を形成する第１の開口である、
前記第２の材料から作られる前記第２の部分にある前記複数の穴は、前記メッシュの排出口を備える前記ノズルを形成する第２の開口である、
前記第２の部分は、前記吸入口と前記排出口との間に遷移部を備える、及び
前記排出口は、前記吸入口より小さい、
メッシュ。
【請求項２】
前記ノズルを形成する前記第２の開口は、流れる方向に減少する幅を有する先細る断面を持つ、及び
前記第２の材料は、前記ノズルの口を形成する、増大する材料の厚さを備える、
請求項１に記載のメッシュ。
【請求項３】
前記第１の材料から作られる前記第１の部分にある前記複数の穴は、第１の開口径を持つ第１の穴形状を備える、
前記第２の材料から作られる前記第２の部分にある前記複数の穴は、第２の開口径を持つ第２の穴形状を備える、
前記第２の開口径は、前記第１の開口径よりも小さい、並びに
前記第１の部分にある前記複数の穴は、第１の供給口を備える、及び前記第２の部分にある前記複数の穴は、前記第１の供給口より下流に配される第２の排出口としてノズルを設ける、
請求項１又は２に記載のメッシュ。
【請求項４】
前記第１の材料は、８ｇ／ｃｍ３より高い及び／又は２２ｇ／ｃｍ３より低い密度を持つ材料である、及び/又は
前記第２の材料は、０．８ｇ／ｃｍ３より高い及び／又は３ｇ／ｃｍ３より低い密度を持つ材料である、
請求項１乃至３の何れか一項に記載のメッシュ。
【請求項５】
ｉ）前記第１の材料は、金属又は金属合金であり、好ましくは、ステンレス鋼、プラチナ、コバルト、金、タングステン又はニッケルパラジウムである、及び/又は
ｉｉ）前記第２の材料は、シリコン、ポリマー又はエポキシであり、好ましくは、ポリカーボネート、ポリイミド又はエポテック（登録商標）３５３ＮＤである、
と規定される請求項１乃至４の何れか一項に記載のメッシュ。
【請求項６】
前記第２の部分にある前記複数の穴は、前記第１の部分にある前記穴の直径と概ね同じである直径から、前記メッシュの前記排出側において既定の範囲内にあるより小さな直径に先細る直径を持つ、
請求項１乃至５の何れか一項に記載のメッシュ。
【請求項７】
前記第１の材料は、前記複数の穴を有する層又はプレートとして設けられ、前記第２の材料は、前記第１の部分の前記穴に少なくとも部分的に置かれる複数のインレーとして設けられ、各インレーは、前記第１の材料にある前記穴の１つを一部満たし、前記第２の材料で形成されるノズルを持つ、及び/又は
前記第１の材料は、前記複数の穴を有する第１の層又はプレートとして設けられ、前記第２の材料は、前記ノズルが形成される第２の層又はプレートとして設けられる、
請求項１乃至６の何れか一項に記載のメッシュ。
【請求項８】
前記第１の部分は、前記ネブライザに共振空洞を作るのに十分な質量を持つ、及び／又は
前記第１の部分は、少なくとも０．０４ｇ／ｃｍ２の単位面積当たりの質量を持つ、
請求項１乃至７の何れか一項に記載のメッシュ。
【請求項９】
ネブライザのユーザが排出口を介して息を吸うとき、空気が吸入口及び前記排出口を介して、前記ネブライザに流入し、通過して、前記ユーザの身体内に流れるように配される前記吸入口及び前記排出口を持つ本体を有するネブライザにおいて、
前記排出口は、マウスピース又は顔若しくは鼻マスクの形状で、又は別個の交換可能なマウスピース又は顔若しくは鼻マスクに接続されるのに適した形状で設けられる、
前記吸入口と前記排出口との間に、液体を蓄えるための噴霧室をさらに有する、及び
前記ネブライザは、薬剤又は薬物をユーザに送るために前記ユーザが息を吸うとき、微細な液滴が前記ネブライザに流入した空気と混合するような、請求項１乃至８の何れか一項に記載のメッシュを備える、
ネブライザ。
【請求項１０】
ネブライザにおいて液滴を形成するのに使用するメッシュを製造する方法において、
ａ）貫通して形成される複数の穴を持つ、第１の材料から作られる第１の部分を設けるステップ、
ｂ）前記メッシュの排出側に向けてノズルを形成するために、前記第１の材料よりも低密度の第２の材料から作られる第２の部分を使用するステップであり、前記第２の部分は、前記第１の部分と接触して置かれ、前記第２の部分は、貫通して形成される対応する複数の穴を持つ、ステップ
を有する方法であり、
前記貫通して形成される複数の穴を持つ、前記第１の材料から作られる第１の部分を設ける前記ステップは、
−前記メッシュの吸入口を形成する第１の開口として、前記第１の材料から作られる前記第１の部分に前記複数の穴を設けるステップ、
を有する、
前記貫通して形成される複数の穴を持つ、前記第２の材料から作られる第２の部分を使用する前記ステップは、
−前記メッシュの排出口を備えるノズルを形成する第２の開口として、前記第２の材料から作られる第２の部分に前記複数の穴を設けるステップ、
を有する、並びに
前記第２の部分は、前記吸入口と前記排出口との間に遷移部を備え、及び
前記排出口は、前記吸入口より小さい、
方法。
【請求項１１】
前記貫通して形成される複数の穴を持つ、前記第１の材料から作られる第１の部分を設ける前記ステップは、
ａ１）前記第１の材料から作られる第１の部分を設けるステップ、及び
ａ２）前記第１の部分を貫通する複数の穴を形成するステップ
を有する、請求項１０に記載の方法。
【請求項１２】
ｉ）ステップｂ）において、流れる方向に減少する幅を持つ先細る断面を持つ前記ノズルを形成する前記第２の開口が設けられ、
ステップｂ）において、前記第２の材料は、前記ノズルの口を形成する増大する材料の厚さを備える、及び/又は
ｉｉ）ステップａ）において、前記第１の材料から作られる、前記第１の部分にある前記複数の穴は、第１の開口径を持つ第１の穴形状を備え、
ステップｂ）において、前記第２の材料から作られる、前記第２の部分にある前記複数の穴は、第２の開口径を持つ第２の穴形状を備え、前記第２の開口径は、前記第１の開口径より小さい、
ステップａ）において、前記第１の部分にある前記複数の穴は、第１の供給口を備える、及び
ステップｂ）において、前記第２の部分にある前記複数の穴は、前記第１の供給口より下流に配される第２の排出口として前記ノズルを備える、
と規定される請求項１０又は１１に記載の方法。
【請求項１３】
前記第１の部分を設けるステップは、前記第１の材料の層又はプレートを設けるステップを有する、
請求項１０乃至１２の何れか一項に記載の方法。
【請求項１４】
前記第１の材料は、複数の穴を有する層又はプレートとして設けられる、及び
前記第２の材料は、前記第１の部分の前記穴に少なくとも部分的に置かれる複数のインレーとして設けられ、各インレーは、前記第１の材料にある前記穴の１つを一部満たし、前記第２の材料で形成されるノズルを有する、
請求項１３に記載の方法。
【請求項１５】
前記メッシュの排出側に向けてノズルを形成するために第２の部分を使用する前記ステップは、
ｂ１）前記第２の材料の層又はプレートと設けるステップ、
ｂ２）前記第２の材料で前記対応する複数の穴を形成するステップ、及び
ｂ３）前記第１の部分を前記第２の部分に接合又は付着するステップ、
を有し、及び/又は
前記メッシュの排出側に向けてノズルを形成するために第２の部分を使用する前記ステップは、
ｂ４）前記第１の部分にある前記複数の穴を前記第２の材料で満たすステップ、及び
ｂ５）前記第２の材料で前記複数の穴を形成するステップ、
を有する請求項１０乃至１４の何れか一項に記載の方法。